(57)【要約】      （修正有）【課題】紙幣収納庫等の媒体収納庫の状態表示の視認性を向上させる手段を提供する。【解決手段】紙葉状媒体を収納する媒体収納庫と、複数の前記媒体収納庫を高さ方向に並べて装填する装填部と、を備えた媒体処理装置であって、前記媒体収納庫は、紙葉状媒体の収納空間を形成するカバー部３２と、前記カバー部の、前記装填部への装填方向の反対側に設けられた穴部３５と、前記カバー部に設けられ、前記媒体収納庫の状態を報知する状態表示部４０と、を有し、前記状態表示部は、前記カバー部内に設けられた光源４２と、前記光源からの光を前記穴部へ導く導光部４３と、前記導光部により導かれた光を拡散させる発光面４５と、を有し、前記発光面を、前記穴部内に位置するように設ける。【選択図】図４
2018106526.tif 000002
【特許請求の範囲】
【請求項１】
紙葉状媒体を収納する媒体収納庫と、
複数の前記媒体収納庫を高さ方向に並べて装填する装填部と、を備えた媒体処理装置であって、
前記媒体収納庫は、
紙葉状媒体の収納空間を形成するカバー部と、
前記カバー部の、前記装填部への装填方向の反対側に設けられた穴部と、
前記カバー部に設けられ、前記媒体収納庫の状態を報知する状態表示部と、を有し、
前記状態表示部は、
前記カバー部内に設けられた光源と、
前記光源からの光を前記穴部へ導く導光部と、
前記導光部により導かれた光を拡散させる発光面と、を有し、
前記発光面を、前記穴部内に位置するように設けたことを特徴とする媒体処理装置。
【請求項２】
請求項１に記載の媒体処理装置において、
前記発光面を、前記穴部内に挿入して取付け、
前記発光面からの光を、前記穴部の内面で反射させることを特徴とする媒体処理装置。
【請求項３】
請求項１または請求項２に記載の媒体処理装置において、
前記媒体収納庫の前記装填方向の反対側の面に、前記穴部を設けたことを特徴とする媒体処理装置。
【請求項４】
請求項１または請求項２に記載の媒体処理装置において、
前記媒体収納庫の前記装填方向の反対側の面の上部の角部に、前記穴部を設け、前記穴部の左右に斜面を設けたことを特徴とする媒体処理装置。
【請求項５】
請求項１ないし請求項４のいずれか一項に記載の媒体処理装置において、
前記発光面を、立体形状にしたことを特徴とする媒体処理装置。
【請求項６】
請求項１ないし請求項５のいずれか一項に記載の媒体処理装置において、
前記発光面に、粗面加工を施したことを特徴とする媒体処理装置。
【請求項７】
請求項１ないし請求項６のいずれか一項に記載の媒体処理装置において、
前記状態表示部に、複数の光源を設けたことを特徴とする媒体処理装置。
【発明の詳細な説明】
【技術分野】
【０００１】
本発明は、収納している紙幣等の紙葉状媒体を利用者に対して出金する紙幣出金機等の媒体処理装置に関する。
【背景技術】
【０００２】
従来の媒体処理装置は、装置の状態を外部に報知する発光表示部を設けると共に、その発光表示部に、光源と光源からの光を導く導光部を設け、粗面加工を施した導光部の発光面をケースの外表面に沿った形状にして外表面と面一、または外表面から突出させて外部からの視認性を向上させている（例えば、特許文献１参照。）。
【先行技術文献】
【特許文献】
【０００３】
【特許文献１】特開２００９−２５４３５号公報（段落００２１、００２４、００２８−００３０、００３６、００４２、第３−５図）
【発明の概要】
【発明が解決しようとする課題】
【０００４】
しかしながら、上述した従来の技術においては、導光部の露出面をケースの外表面に沿った形状にして外表面と面一にしているため、これを図９に示すような紙幣出金機等の紙幣収納庫の状態表示に用いようとした場合について説明する。
紙幣収納庫は、下部ユニットに高さ方向に並べて挿抜可能に装填されているため（図１参照）、作業者が立ちながら作業を行う際、最上部の紙幣収納庫の発光面は比較的高い位置あるため、視認性は確保される。一方で、最上部より下方に装填される紙幣収納庫へ向かうにつれて発光面の視認性は悪くなり、また、複数の紙幣収納庫等により視野が妨げられるため、発光面の発光状態を確認することが困難になるという問題がある。
【０００５】
また、発光面を紙幣収納庫の外表面と面一、または外表面から突出させると、紙幣収納庫の挿入時や引抜時に、発光面を損傷させてしまう恐れがあるという問題がある。
本発明は、上記の問題点を解決するためになされたもので、紙幣収納庫等の媒体収納庫の状態表示の視認性を向上させる手段を提供することを目的とする。
【課題を解決するための手段】
【０００６】
本発明は、上記課題を解決するために、紙葉状媒体を収納する媒体収納庫と、複数の前記媒体収納庫を高さ方向に並べて装填する装填部と、を備えた媒体処理装置であって、前記媒体収納庫は、紙葉状媒体の収納空間を形成するカバー部と、前記カバー部の、前記装填部への装填方向の反対側に設けられた穴部と、前記カバー部に設けられ、前記媒体収納庫の状態を報知する状態表示部と、を有し、前記状態表示部は、前記カバー部内に設けられた光源と、前記光源からの光を前記穴部へ導く導光部と、前記導光部により導かれた光を拡散させる発光面と、を有し、前記発光面を、前記穴部内に位置するように設けたことを特徴とする媒体処理装置。
【発明の効果】
【０００７】
これにより、本発明は、発光面を直接視認できない場合であっても、光源から導光部により導かれた光で発光した発光面からの光を穴部の内面で反射させて、発光面の発光状態を確実に確認することができるという効果が得られる。
【図面の簡単な説明】
【０００８】
【図１】実施例１の紙幣出金機を示す説明図
【図２】実施例１の紙幣出金機を示すブロック図
【図３】実施例１の紙幣収納庫の後部を示す説明図
【図４】実施例１の状態表示部を示す説明図
【図５】実施例２の紙幣収納庫の後部を示す説明図
【図６】実施例２の状態表示部を示す説明図
【図７】実施例２の紙幣収納庫の他の態様を示す説明図
【図８】実施例２の状態表示部の他の態様を示す説明図
【図９】従来の発光面を用いた紙幣収納庫の後部を示す説明図
【発明を実施するための形態】
【０００９】
以下に、図面を参照して本発明による媒体処理装置の実施例について説明する。
【実施例１】
【００１０】
以下に、図１ないし図４を用いて本実施例の紙幣出金機について説明する。
本実施例の媒体取引装置としての紙幣出金機１は、銀行等の金融機関の店舗に設置され、利用者が入力した出金額に応じて、媒体収納庫としての紙幣収納庫２に収納している、紙葉状媒体としての紙幣Ｐを計数し、計数した紙幣Ｐを出金口３から排出して利用者に引渡す機能等を有しており、図１、図２に示す構成を備えている。
【００１１】
また、紙幣出金機１は、上部ユニット１ａと下部ユニット１ｂから構成されている。
出金口３は、上部ユニット１ａの前面側の上方に配置され、出金する紙幣Ｐを束のまま束搬送路４の上ベルト５および下ベルト６により挟持した状態で排出する。
また、出金口３には、利用者による束のままの紙幣Ｐ（束紙幣という。）の引抜き等を検出する紙幣監視センサ３ａが設けられている。
【００１２】
紙幣監視センサ３ａは、出金口３の開口を挟んで発光部と受光部とを対向配置した光学式のセンサであって、発光部からの光を紙幣Ｐが遮ったことにより紙幣Ｐの存在を検出する機能を有している。
束搬送路４は、上部ユニット１ａの上方に配置され、上ベルト５、下ベルト６、搬送ガイド７、ラッセル部８等により構成される。
【００１３】
上ベルト５は、出金口３の直近に設けられたプーリ５ａと、後面側に設けられたプーリ５ｂとの間に掛渡された長尺の無端ベルトであって、束搬送路４の最も上方に配置され、正逆両方向に駆動される。
下ベルト６は、上ベルト５のプーリ５ａに対向配置されたプーリ６ａと、中央部に設けられたプーリ６ｂとの間に掛渡された無端ベルトであって、上ベルト５との間に束紙幣を挟持して搬送する。
【００１４】
搬送ガイド７は、上ベルト５の下面側と対向しており、下ベルト６のプーリ６ｂの後面側に配置され、上ベルト５に沿って往復移動可能に構成されている。
ラッセル部８は、上ベルト５のプーリ５ｂ側に配置され、上ベルト５に沿って往復移動可能に構成されると共に、下端部が上ベルト５の下面から出没可能に構成されており、束紙幣を出金口３側に押して移動させる機能を有している。
【００１５】
紙幣搬送路９は、ローラ対および／もしくはベルト対またはこれらの組合せにより、１枚の紙幣Ｐを搬送する搬送路であって、図１に太い破線で示すように、下部ユニット１ｂの各紙幣収納庫２から、集積部１１とリジェクト庫１２との間に設けられた切替機構１３との間を接続する。
【００１６】
集積部１１は、搬送された紙幣Ｐを内部に放出する放出機構１１ａと、放出された紙幣Ｐを厚さ方向に集積するステージ１１ｂ等を備えている。
また、ステージ１１ｂは、昇降可能に構成されており、紙幣Ｐを集積する集積位置から、集積された最上位の紙幣Ｐを、上ベルト５の下面に押付ける搬送位置までの間を往復移動する。
【００１７】
リジェクト庫１２は、集積部１１の後面側に配置され、搬送された紙幣Ｐを内部に放出する放出機構１２ａ等を備えており、出金時のリジェクト紙幣が収納される。
切替機構１３は、紙幣Ｐの搬送方向を切替えるための切替ブレード等を備えており、紙幣搬送路９により搬送された紙幣Ｐの搬送方向を、集積部１１側またはリジェクト庫１２側へ切替える。
【００１８】
取忘れ収納庫１４は、リジェクト庫１２の後面側に配置され、搬送された紙幣Ｐを内部に受入れるための開口部１４ａが設けられており、出金口３に取忘れられた束紙幣等を収納して保管する。
本実施例の上部ユニット１ａは、上記した出金口３、束搬送路４、集積部１１、リジェクト庫１２、取忘れ収納庫１４等を備えている。
【００１９】
紙幣収納庫２は、出金に用いる紙幣Ｐを立位姿勢で収納する収納庫であって、前面側の下部に設けられた繰出口から紙幣Ｐを１枚毎に分離して繰出す分離繰出機構２１、および収納した紙幣Ｐを分離繰出機構２１の繰出ローラに押付ける押圧板２２等を備えている。
【００２０】
また、紙幣収納庫２は、紙幣Ｐを金種別に収納するために、４つの紙幣収納庫２ａ、２ｂ、２ｃ、２ｄで構成され、これら４つの紙幣収納庫２は、高さ方向に並べて下部ユニット１ｂ内の後側に設けられた装填部２３に着脱可能に装填され、図示しないロック機構により位置決めされる。
【００２１】
更に、各紙幣収納庫２は、装填部２３の後側から前側に向けた方向（装填方向という。）に挿入され、後側に引抜くことにより装填部２３から取外して持ち運ぶことができ、金融機関の担当者、保守員、警備員、警送担当者等の作業者が紙幣Ｐに触れることなく紙幣Ｐの補充、回収を行うことができる。
【００２２】
更に、各紙幣収納庫２は、防犯対策として、紙幣収納庫２に攻撃が加えられた場合に、防盗インク等により収納している紙幣Ｐを汚損させる機能を有している。
鑑別部２５は、最上部の紙幣収納庫２ａから紙幣Ｐを繰出す繰出搬送路と紙幣搬送路９との合流部の上方に配置され、各紙幣収納庫２から搬送された紙幣Ｐの連鎖や斜行等の搬送異常を鑑別する機能等を有している。
【００２３】
本実施例の下部ユニット１ｂは、複数の紙幣収納庫２、鑑別部２５等を備えている。
紙幣出金機１の制御部２８は、紙幣出金機１内の各部を制御して、出金処理等を実行する機能等を有している（図２参照）。
記憶部２９は、制御部２８が実行するプログラムやそれに用いる各種のデータおよび制御部２８による処理結果等が格納される。
【００２４】
本実施例の各紙幣収納庫２の筐体は、ＡＢＳ樹脂等の樹脂材料で形成され、図３に示すように、それぞれ本体部３１と、本体部３１の上部に設けられたカバー部３２で構成され、カバー部３２は本体部３１の前面側に設けられた図示しないヒンジにより、上方へ開閉可能に設けられている。
【００２５】
また、紙幣収納庫２の後面の中央部にはセキュリティ確保のための錠３４が設けられ、開放したカバー部３２を閉鎖して、保守員等の作業員が所持する鍵で錠３４を施錠することにより紙幣等を収納する媒体収納空間としての紙幣収納空間が形成される。
カバー部３２の後面には、錠３４に向かって左上方に、カバー部３２の上面に沿って円形の３つの穴部３５が設けられ、各穴部３５には、それぞれ紙幣収納庫２の状態を発光等により表示するための３つの状態表示部４０ａ、４０ｂ、４０ｃが設けられている。
【００２６】
状態表示部４０ａは、緑色の点灯で動作の「待機中」を報知し、点滅によって「紙幣なし」つまり紙幣収納空間が空の状態であることを報知する。
また、状態表示部４０ｂは、オレンジ色の点灯で「動作中」を報知し、状態表示部４０ｃは、赤色の点灯で、ジャム等の搬送障害が生じたときの「異常発生」を報知する。
【００２７】
これら３つの状態表示部４０は、それぞれに設定された設定色以外は同一の構成を有しているので、以下に、図４に示す状態表示部４０ａ（以下、状態表示部４０と記す。）を例に説明する。
なお、図４は、図３に示すＡ−Ａ断面線に沿った、カバー部３２の後部を示す断面図である。
【００２８】
本実施例の状態表示部４０は、カバー部３２内の後部に配置されており、基板４１上に直付けされた光源４２と、光源４２からの光を穴部３５の方向に導く導光部としてのプリズム部４３と、発光部４４等で構成される。
基板４１は、図示しないブラケット等により、カバー部３２の後面の内側に固定されており、ＬＥＤ（Ｌｉｇｈｔ  Ｅｍｉｔｔｉｎｇ  Ｄｉｏｄｅ）等の光源４２の発光、消灯を行うためのスイッチング回路等の電子回路が設けられている。
【００２９】
プリズム部４３は、アクリル樹脂等の無色透明な樹脂材料で形成された角柱状部材を曲折して形成され、光源４２から発せられた所定の設定色（状態表示部４０ａの場合は、緑色）の光を略直角方向に反射させて、穴部３５に挿入された発光部４４に導く機能を有している。
【００３０】
発光部４４は、アクリル樹脂等の透明な樹脂材料で形成され、その外側の球面からなる発光面４５は、その頂点を含む全面が、カバー部３２の外表面より内側で、穴部３５の内部に位置するように配置されている。
また、発光部４４は、角柱状の接合部４４ａと、発光部４４をカバー部３２の内側に取付けるための矩形のフランジ部４４ｂと、フランジ部４４ｂの外側に設けられた、薄い円柱部に、球体の一部である球冠を積み重ねた突出部４４ｃで構成され、これらが一体に形成されている。
【００３１】
本実施例の発光面４５は、サンドブラスト等の粗面加工により比較的細かな凹凸が設けられており、光源４２からプリズム部４３を介して到達した光を拡散させて球面全体が一様に発光する。
本実施例の状態表示部４０は、プリズム部４３の光源４２に対向する端面の反対側の端面と、発光部４４の接合部４４ａの端面とを接合し、突出部４４ｃの円柱部分を穴部３５の内面３５ａに挿入し、カバー部３２の内側に取付けられる。
【００３２】
なお、本実施例の紙幣出金機１の後部は、利用者が操作を行う営業フロアから壁を隔てて設けられた保守室内に配置されており、作業員は紙幣出金機１の後方から紙幣収納庫２への紙幣Ｐの補充や各部の点検等を行う。
【００３３】
以下に、本実施例の紙幣出金機１による出金処理の処理動作について説明する。
紙幣出金機１の制御部２８は、図示しない操作部によって利用者による出金金額の入力を受付けると、集積部１１のステージ１１ｂを下方の集積位置に移動させると共に、ラッセル部８を上ベルト５のプーリ５ｂの直近に移動させ、搬送ガイド７を集積部１１の上方に移動させた後に、出金金額に相当する紙幣Ｐの金種別の枚数を算出する。
【００３４】
出金する紙幣Ｐの金種別枚数を算出した制御部２８は、該当する紙幣収納庫２から分離繰出機構２１によって紙幣Ｐを紙幣搬送路９へ１枚ずつ繰出し、繰出した紙幣Ｐを紙幣搬送路９によって鑑別部２５へ搬送する。
紙幣Ｐを鑑別部２５へ搬送した制御部２８は、鑑別部２５で当該紙幣Ｐの搬送状態を鑑別し、鑑別部２５で正常券と鑑別された紙幣Ｐは、紙幣搬送路９により切替機構１３へ搬送し、切替機構１３で搬送方向を切替えて、集積部１１の放出機構１１ａによりステージ１１ｂ上に放出して集積し、記憶部２９により金種別の枚数を計数する。
【００３５】
また、鑑別部２５で、重送等の搬送異常によりリジェクト紙幣と鑑別された紙幣Ｐは、紙幣搬送路９により切替機構１３へ搬送し、切替機構１３により搬送方向を切替えて放出機構１２ａによりリジェクト庫１２内に放出して集積する。
このようにして出金金額に相当する紙幣Ｐの集積部１１への集積を終えると、制御部２８は、搬送ガイド７を後方の取忘れ収納庫１４の開口部１４ａ上へ移動させて集積部１１上を開放する。
【００３６】
そして、制御部２８は、集積部１１のステージ１１ｂを集積位置から搬送位置まで上昇させ、上ベルト５および下ベルト６を搬送方向に駆動すると共に、ラッセル部８を前方へ移動させて、集積部１１に集積した束紙幣を出金口３の方向へ搬送する。
束紙幣を出金口３の方向へ搬送した制御部２８は、紙幣監視センサ３ａが束紙幣の先端を検出したときから所定の時間の経過後に、上ベルト５および下ベルト６の駆動を停止して、束紙幣の先端部を出金口３から突出させ、後端部を上ベルト５および下ベルト６で挟持した状態で排出する。
【００３７】
束紙幣を出金口３に排出した制御部２８は、紙幣監視センサ３ａにより束紙幣の状態を監視し、束紙幣が利用者により引抜かれ、束紙幣の存在を検出しなくなったときに、今回の出金処理を終了させる。
この束紙幣の出金口３への排出時に、所定の待機時間経過しても紙幣監視センサ３ａが束紙幣の存在を検出し続けている場合、制御部２８は、取忘れが発生したと判定し、搬送ガイド７を下ベルト６のプーリ６ｂの近傍へ移動させて、ラッセル部８を束紙幣より上方へ移動させる。
【００３８】
そして、制御部２８は、上ベルト５および下ベルト６を逆方向に駆動して束紙幣を後方へ搬送し、束紙幣の後端がラッセル部８を通過したときにラッセル部８を下方に移動させて後方に移動させることにより束紙幣の後方への搬送を補助しながら束紙幣を開口部１４ａから取忘れ収納庫１４内に落下させて収納する。
【００３９】
このようにして、本実施例の制御部２８による出金処理が行われる。
上記のような出金処理等の紙幣出金機１の運用中または停止中に、制御部２８は、各紙幣収納庫２の状態を確認し、紙幣収納庫２から紙幣Ｐが繰出されていない場合は、当該紙幣収納庫２の状態表示部４０ａの光源４２を点灯して発光面４５を緑色に発光させ、他の状態表示部４０ｂ、４０ｃを消灯のままとして紙幣収納庫２の「待機中」を報知する。
【００４０】
紙幣収納庫２から紙幣Ｐが繰出されている場合、制御部２８は、当該紙幣収納庫２の状態表示部４０ａを消灯し、状態表示部４０ｂの光源４２を点灯して発光面４５をオレンジ色に発光させ、状態表示部４０ｃを消灯のままとして紙幣収納庫２の「動作中」を報知する。
【００４１】
紙幣収納庫２の紙幣Ｐがなくなったことを検知した場合、制御部２８は、当該紙幣収納庫２の状態表示部４０ａの光源４２を点滅させて発光面４５を緑色で点滅させ、状態表示部４０ｂは、そのときの状態表示のままとし、状態表示部４０ｃは消灯のままとして紙幣収納庫２の「紙幣なし」を報知し、紙幣出金機１の運用を停止させる。
【００４２】
紙幣収納庫２から紙幣Ｐが繰出されているときに、分離繰出機構２１でジャム等の搬送障害が発生した場合、制御部２８は、当該紙幣収納庫２の状態表示部４０ａ、４０ｂを消灯状態にし、状態表示部４０ｃの光源４２を点灯して発光面４５を赤色に発光させて紙幣収納庫２の「異常発生」を報知し、紙幣出金機１の運用を停止させる。
【００４３】
これら各状態表示部４０の点灯、点滅動作のときに、本実施例の発光面４５は、カバー部３２の穴部３５の内面３５ａ内に位置しているので、設定色に発光した発光面４５からの光を穴部３５の内面３５ａで反射させて、発光面４５の発光状態を確認することができる。
【００４４】
これにより、保守等を行う作業員は、発光面４５を直接視認できない位置に装填された紙幣収納庫２であっても、状態表示部４０を覗き込む等の無理な姿勢をとる必要がなくなり、作業員の負担を軽減することができる。
また、本実施例の発光面４５は、カバー部３２の外表面から内側で、穴部３５内に位置しているので、紙幣収納庫２の挿入時や引抜時に、発光面４５を損傷させることはなく、常に良好な状態表示を行うことができる。
【００４５】
以上、説明したように、本実施例では、紙幣Ｐを収納する複数の紙幣収納庫２を高さ方向に並べて装填する装填部２３を備えた紙幣出金機１において、紙幣収納庫２のカバー部３２の、装填部２３への装填方向の反対側に穴部３５設けると共に、紙幣収納庫２の状態を報知する状態表示部４０を設け、その状態表示部４０に、カバー部３２内に設けられた光源４２と、光源４２からの光を穴部３５へ導く導光部４３と、導光部４３により導かれた光を拡散させる発光面４５を設け、発光面４５を、穴部３５の内面３５ａ内に位置するようにしたので、発光面４５を直接視認できない場合であっても、光源４２から導光部４３により導かれた光で発光した発光面４５からの光を穴部３５の内面３５ａで反射させて、発光面４５の発光状態を確実に確認することができる。
【００４６】
また、本実施例の発光面４５は、球面、つまり立体形状で形成されているので、設定色の光が、発光面４５の周囲に届き易くなり、状態表示部４０の点灯、点滅時における視認性を向上させることができる。
なお、本実施例では、発光面４５を、球面からなる立体形状で形成するとして説明したが、発光面４５を平面で形成するようにしてもよい。この場合には、突出部４４ｃを円柱部のみとすればよい。
【実施例２】
【００４７】
以下に、図５ないし図８を用いて本実施例の紙幣出金機について説明する。なお上記実施例１と同様の部分は、同一の符号を付してその説明を省略する。
本実施例の４つの紙幣収納庫２ａ、２ｂ、２ｃ、２ｄは、上記実施例１と同様の構成を有しているが、図５に示すように、各紙幣収納庫２のカバー部３２の上面板と後面板との角部には、３つの角穴である穴部４７が略４５度方向の斜め穴として形成されている。
【００４８】
また、各穴部４７の左右には、外側に向かって拡大する方向に傾斜する略扇型形状の斜面４８が設けられている。
本実施例の状態表示部５０ａ、５０ｂ、５０ｃは、それぞれの穴部４７に設けられ、上記実施例１同様に、状態表示部５０ａは、緑色の点灯で動作の「待機中」を報知し、点滅によって「紙幣なし」を報知する。
【００４９】
また、状態表示部５０ｂは、オレンジ色の点灯で「動作中」を報知し、状態表示部５０ｃは、赤色の点灯で、ジャム等の搬送障害が生じたときの「異常発生」を報知する。
これら３つの状態表示部５０は、それぞれに設定された設定色以外は同一の構成を有しているので、以下に、図６に示す状態表示部５０ａ（以下、状態表示部５０と記す。）を例に説明する。
【００５０】
なお、図６は、図５に示すＢ−Ｂ断面線に沿った、カバー部３２の後部を示す断面図である。
本実施例の状態表示部５０は、カバー部３２の後部の上角に配置されており、基板４１上に直付けされた光源４２と、光源４２からの光を穴部４７の方向に導く導光部としてのプリズム部５３と、発光部５４等で構成される。
【００５１】
基板４１、光源４２は、上記実施例１と同様であるので、その説明を省略する。
プリズム部５３は、アクリル樹脂等の無色透明な樹脂材料で形成された角柱状部材を曲折して形成され、光源４２から発せられた所定の設定色（状態表示部５０ａの場合は、緑色）の光を各面で反射させながら、穴部４７に挿入された発光部５４に導く機能を有している。
【００５２】
発光部５４は、アクリル樹脂等の透明な樹脂材料で形成され、その外側の球面からなる発光面５５は、その頂点を含む全面が、カバー部３２の外表面より内側で、穴部４７の内部に位置するように配置されている。
また、発光部５４は、角柱状の接合部５４ａと、発光部５４をカバー部３２の内側に取付けるための四角錐台状のフランジ部５４ｂと、フランジ部５４ｂの外側に設けられた突出部５４ｃで構成され、これらが一体に形成されている。
【００５３】
本実施例の突出部５４は、フランジ部５４ｂの外側に、角柱部分と球冠とを積み重ねた状態で形成される。
また、発光面５５は、上記実施例１と同様に、粗面加工により比較的細かな凹凸が設けられており、光源４２からプリズム部５３を介して到達した光を拡散させて球面全体が一様に発光する。
【００５４】
本実施例の状態表示部５０は、プリズム部５３の光源４２に対向する端面の反対側の端面と、発光部５４の接合部５４ａの端面とを接合し、突出部５４ｃの角柱部分を穴部４７に挿入してカバー部３２の内側に取付けられる。
本実施例の紙幣出金機１による出金処理の処理動作は、上記実施例１と同様であるので、その説明を省略する。
【００５５】
本実施例の出金処理等の紙幣出金機１の運用中または停止中における各状態表示部５０の点灯、消灯、点滅の動作は、上記実施例１と同様であるので、その説明を省略する。
【００５６】
これら各状態表示部５０の点灯、点滅動作のときに、本実施例の発光面５５は、カバー部３２の穴部４７の内面４７ａ内に位置しているので、設定色に発光した発光面５５からの光を穴部４７の内面４７ａおよび左右の斜面４８で反射させて、発光面５５の発光状態を確認することができ、保守等を行う作業員は、発光面５５を直接視認できない位置に装填された紙幣収納庫２であっても、状態表示部５０を覗き込む等の無理な姿勢をとる必要がなくなり、作業員の負担を軽減することができる。
【００５７】
また、本実施例の発光面５５は、カバー部３２の外表面から内側で、穴部４７内に位置しているので、紙幣収納庫２の挿入時や引抜時に、発光面５５を損傷させることはなく、常に良好な状態表示を行うことができる。
更に、本実施例の発光面５５は、球面からなる立体形状で形成されているので、設定色の光が、発光面５５の周囲に届き易くなり、状態表示部５０の点灯、点滅時における視認性を向上させることができる。
【００５８】
なお、立体形状は、図７、図８に示す他の態様のように、発光面５５を５面で形成するようにしてもよい。図８は、図７に示すＣ−Ｃ断面線に沿った、カバー部３２の後部を示す断面図である。
この態様における発光部５４の外側の５面からなる発光面５５は、その頂面を含む全面が、カバー部３２の外表面より内側で、穴部４７の内部に位置するように配置されている。
【００５９】
また、突出部５４は、フランジ部５４ｂの外側に、角柱部分と、四角錐台を積み重ねた状態で形成され、その発光面５５には、粗面加工により比較的細かな凹凸が設けており、５面全体が一様に発光する。
【００６０】
このようにしても、球面の場合と同様の効果を得ることができる。
以上、説明したように、本実施例では、立体形状からなる発光面５５を、穴部４７の内面４７ａ内に位置するようにしたので、発光面５５を直接視認できない場合であっても、光源４２から導光部５３により導かれた光で発光した発光面５５からの光を穴部４７の内面４７ａおよび左右の斜面４８で反射させて、発光面５５の発光状態をより確実に確認することができる。
【００６１】
なお、上記各実施例においては、発光部４４とプリズム部４３、または発光部５４とプリズム部５３は別体に形成するとして説明したが、それぞれ一体化して形成するようにしてもよい。この場合には一体化した発光部とプリズム部を、プリズム部の材料で形成するとよい。
【００６２】
また、上記各実施例においては、状態表示部４０または５０は、３つ別々に設けるとして説明したが、一つの基板４１にそれぞれの設定色からなる３つの光源４２を設けて３連の状態表示部としてもよい。
【００６３】
更に、上記各実施例においては、状態表示部４０または５０は、カバー部３２の上面に沿って３つ並べた状態で配置するとして説明したが、１もしくは２、または４つ以上であってもよい。要は、表示すべき状態の数に応じて、状態表示部４０または５０の数を設定すればよい。
【００６４】
更に、上記各実施例においては、各状態表示部４０または５０にそれぞれ１つの光源４２を設けるとして説明したが、１つの発光部４４または５４に対して、複数の光源４２を設け、１つの発光面４５または５５を、複数の色で発光させるようにしてもよい。
更に、上記各実施例においては、状態表示部４０または５０は、錠３４の左上方に設けるとして説明したが、右上方であってもよい。
【００６５】
更に、上記各実施例においては、紙幣出金機１の紙幣収納庫２を例に説明したが、現金自動預払機や現金処理機等に搭載する紙幣収納庫で、高さ方向に並べて装填するものに、本発明を適用すれば、上記と同様の効果を得ることができる。
【符号の説明】
【００６６】
１    紙幣出金機
１ａ  上部ユニット
１ｂ  下部ユニット
２、２ａ〜２ｄ  紙幣収納庫
３    出金口
３ａ  紙幣監視センサ
４    束搬送路
５    上ベルト
５ａ、５ｂ、６ａ、６ｂ  プーリ
６    下ベルト
７    搬送ガイド
８    ラッセル部
９    紙幣搬送路
１１  集積部
１１ａ、１２ａ  放出機構
１１ｂ  ステージ
１２  リジェクト庫
１３  切替機構
１４  取忘れ収納庫
２１  分離繰出機構
２２  押圧板
２３  装填部
２５  鑑別部
２８  制御部
２９  記憶部
３１  本体部
３２  カバー部
３４  錠
３５、４７  穴部
３５ａ、４７ａ  内面
４０、４０ａ〜４０ｃ、５０、５０ａ〜５０ｃ  状態表示部
４１  基板
４２  光源
４３、５３  プリズム部
４４、５４  発光部
４４ａ、５４ａ  接合部
４４ｂ、５４ｂ  フランジ部
４４ｃ、５４ｃ  突出部
４５、５５  発光面
４８  斜面
Ｐ    紙幣
【図１】
2018106526.tif 000003
【図２】
2018106526.tif 000004
【図３】
2018106526.tif 000005
【図４】
2018106526.tif 000006
【図５】
2018106526.tif 000007
【図６】
2018106526.tif 000008
【図７】
2018106526.tif 000009
【図８】
2018106526.tif 000010
【図９】
2018106526.tif 000011